(57)【要約】【課題】  回線交換網やＩＰ網などの異なる網に接続された端末間の画像・音声通信を可能化する。【解決手段】  互いに異なる網に接続された第１、第２の端末３０１、３０２間に、画像・音声通信のための制御情報又はメディア情報の変換装置４００を配設する。変換装置４００は、制御情報変換部４２０と、トランスコーダ４５０と、能力情報変換部４６０と、を有し、第１の端末３０１から受信した復号情報から抽出した能力情報と、第２の端末３０２から受信した呼制御情報から抽出した能力情報が一致しない場合、更に画面サイズが一致するか否かを判定する。そして、いずれか一方向で画面サイズが一致する場合は、トランスコーダ４５０を動作させずに復号情報又は制御情報の一部を変換する処理を行い、画面サイズが一致しない場合は、トランスコーダ４５０を起動してビットストリームの変換を行う。【選択図】図４
2010233238.tif 000002
【特許請求の範囲】
【請求項１】
互いに異なる網に接続された第１、第２の端末間における画像・音声通信のための制御情報又はメディア情報の変換装置であって、
前記第１の端末から取得した復号情報を呼制御情報に変換して前記第２の端末に出力する第１方向の変換処理と、
前記第２の端末から取得した呼制御情報を復号情報に変換して前記第１の端末に出力する第２方向の変換処理と、をなしうる変換部を備えること、
を特徴とする制御情報又はメディア情報の変換装置。
【請求項２】
互いに異なる網に接続された第１、第２の端末間における画像・音声通信のための制御情報又はメディア情報の変換方法であって、
前記各端末間に設置された変換装置が、前記第１の端末から取得した復号情報を呼制御情報に変換して前記第２の端末に出力する第１の変換工程と、
前記変換装置が、前記第２の端末から取得した呼制御情報を復号情報に変換して前記第１の端末に出力する第２の変換工程と、を含むこと、
を特徴とする制御情報又はメディア情報の変換方法。
【発明の詳細な説明】
【技術分野】
【０００１】
本発明は、回線交換網やＩＰ網などの異なる網に接続された端末間の画像・音声通信のための制御情報の変換装置及び制御情報の変換方法に関する。
【背景技術】
【０００２】
特開２００３−１２５３６７号公報に、映像符号化方式として３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のマルチメディア通信端末標準３Ｇ−３２４で必須とされるＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）勧告Ｈ．２６３やＩＳＯ（Ｉｎｔｅｒｎａｔｉｏｎａｌ Ｏｒｇａｎｉｚａｔｉｏｎ ｏｆ Ｓｔａｎｄａｒｄｉｚａｔｉｏｎ）／ＩＥＣ（Ｉｎｔｅｒｎａｔｉｏｎａｌ Ｅｌｅｃｔｒｏｔｅｃｈｎｉｃａｌ Ｃｏｍｍｉｓｓｉｏｎ）にて国際標準化されているＭＰＥＧ（Ｍｏｖｉｎｇ  Ｐｉｃｔｕｒｅ  Ｅｘｐｅｒｔ  Ｇｒｏｕｐ）−４、音声符号化方式として３Ｇ−３２４で必須とされるＡＭＲやＩＴＵ−Ｔ勧告Ｇ．７２３．１等によりマルチメディア通信を行いうるマルチメディア通信端末の一例が紹介されている。
【先行技術文献】
【特許文献】
【０００３】
【特許文献１】特開２００３−１２５３６７号公報
【発明の概要】
【発明が解決しようとする課題】
【０００４】
しかしながら、上記公報に記載されたような端末が、それぞれ異種の網に接続されている場合、両端末に搭載されるコーデックが異なるために、相手端末が圧縮符号化し送信してきた圧縮ストリームを復号（デコード）することができず、そのままでは画像や音声通信ができないという不都合があった。
【０００５】
そもそも上記のようなケースでは、各端末が搭載しているコーデックなどの制御情報を互いにやりとりする通信路を持たないため、相手端末がどのようなコーデックを搭載しているかに関する情報をやりとりできず、通信を行うことができないというところに問題点があった。
【０００６】
本発明は、上記事情に鑑みてなされたものであって、その目的とするところは、回線交換網やＩＰ網などの異なる網に接続された端末間の画像・音声通信において、端末間でコーデック等が異なる場合でも、通信を確立することができるように制御情報の変換を行う変換装置及び制御情報の変換方法を提供することにある。
【課題を解決するための手段】
【０００７】
本発明の第１の視点によれば、互いに異なる網に接続された第１、第２の端末間における画像・音声通信のため制御情報又はメディア情報を変換する変換装置が提供される。この変換装置は、制御情報又はメディア情報に伴う呼制御情報、復号情報を変換する変換部を備え、一の網に属する第１の端末から取得した復号情報（又は呼制御情報）を、呼制御情報（又は復号情報）に変換して他種の網に属する第２の端末に出力する。またこの変換装置は、前記第２の端末から取得した呼制御情報（又は復号情報）を、復号情報（又は呼制御情報）に変換して前記第１の端末に出力する。
【０００８】
また本発明の第２の視点によれば、互いに異なる網に接続された第１、第２の端末間に設置された変換装置を用いて画像・音声通信のため制御情報又はメディア情報を変換する変換方法が提供される。この方法によれば、第１の端末から復号情報（又は呼制御情報）を取得した変換装置が、該復号情報（又は呼制御情報）を呼制御情報（又は復号情報）に変換して第２の端末に出力する。また、この変換装置は、前記第２の端末から呼制御情報（又は復号情報）を取得すると、該呼制御情報（又は復号情報）を復号情報（又は呼制御情報）に変換して前記第１の端末に向けて出力する。
【発明の効果】
【０００９】
本発明によれば、例えば、携帯電話端末と、ＳＩＰ（Ｓｅｓｓｉｏｎ  Ｉｎｉｔｉａｔｉｏｎ  Ｐｒｏｔｏｃｏｌ）端末といった異なる網に接続された端末間の通信において、端末間で能力情報の形式が異なっていても、通信を確立することが可能となる。
【図面の簡単な説明】
【００１０】
【図１】本発明の第１の実施の形態に係る制御情報の変換装置の構成を表したブロック図である。
【図２】本発明の第２の実施の形態に係る制御情報の変換装置の構成を表したブロック図である。
【図３】本発明の第３の実施の形態に係る制御情報の変換装置の構成を表したブロック図である。
【図４】本発明の第４の実施の形態に係る制御情報の変換装置の構成を表したブロック図である。
【図５】本発明の第５の実施の形態に係る制御情報の変換装置の構成を表したブロック図である。
【発明を実施するための形態】
【００１１】
続いて、本発明の好適な実施の形態について、図面を参照して詳細に説明する。図１は、本発明の第１の実施の形態に係る制御情報の変換装置の構成を表したブロック図である。図１を参照すると、第１の端末１００と、第２の端末１５０との間に配設された変換装置１１０が示されている。以下、第１の端末１００は、回線交換網で接続され、第２の端末１５０はＩＰ網に接続されているものとして説明する。
【００１２】
第１の端末１００は、動画像信号を入力し、例えば、ＩＳＯ／ＩＥＣ勧告ＭＰＥＧ−４等の動画像圧縮符号化方式を使用して、予め動画像符号化エンコーダ（図示せず）に設定されたＤＣＩ（Ｄｅｃｏｄｅｒ  Ｃｏｎｆｉｇｕｒａｔｉｏｎ  Ｉｎｆｏｒｍａｔｉｏｎ）に従って動画像信号を圧縮符号化し、変換装置１１０に符号化したビットストリームを出力する機器である。
【００１３】
また、第１の端末１００は、自機が搭載し、相手から受信することができるストリームに関するコーデックの能力情報を表す復号情報（例えば、前記したＤＣＩ）を変換装置１１０に対して送信する。
【００１４】
第２の端末１５０も、自機が搭載しているコーデックの能力情報を表す呼制御情報を変換装置１１０に対して送信する。
【００１５】
変換装置１１０は、第１の送受信部１２０と、第２の送受信部１３０と、制御情報変換部１１５と、を備えるゲートウェイ装置等である。
【００１６】
上記構成において、変換装置１１０は、第１の送受信部１２０において、第１の端末１００からの復号情報とビットストリームを受信すると、復号情報を制御情報変換部１１５に入力する。
【００１７】
復号情報を取得した制御情報変換部１１５は、第１の端末１００から、例えば、ＩＴＵ−Ｔ規格Ｈ．２４５プロトコルを使用して受信した復号情報に含まれる能力情報（例えば、前記したＤＣＩ）を取り出して、例えば、ＩＥＴＦ  ＲＦＣ勧告ＲＦＣ２３２７で規定されるＳＤＰ（Ｓｅｓｓｉｏｎ  Ｄｅｓｃｒｉｐｔｉｏｎ  Ｐｒｏｔｏｃｏｌ）の記述に変更し呼制御情報に変換して第２の送受信部１３０に出力する。そして、第２の送受信部１３０は、第２の端末１５０に対して呼制御情報を送信する。
【００１８】
続いて、第２の端末１５０から第１の端末１００の方向への信号の流れを説明すると、変換装置１１０は、第２の送受信部１３０において、第２の端末１５０からの呼制御情報とビットストリームを受信すると、呼制御情報を制御情報変換部１１５に入力する。
【００１９】
呼制御情報を取得した制御情報変換部１１５は、第２の端末１５０から受信した呼制御情報に含まれる第２の端末の能力情報（例えば、ＩＥＴＦ  ＲＦＣで定められるＳＤＰ情報）を抽出して、第１の端末で解釈できる復号情報（例えば、前記したＤＣＩ）に変換し、第１の送受信部１２０に出力する。そして、第１の送受信部１２０は、第１の端末１００に対して復号情報を送信する。
【００２０】
以上のように、異なる網間の通信において、端末間で能力情報の形式がＤＣＩとＳＤＰとで異なっていても、制御情報を変換する変換装置を介することで、通信を確立することが可能となっている。
【００２１】
続いて、端末間の能力ネゴシエーションを実現する本発明の第２の実施の形態について、上記した第１の実施の形態と重複する部分は省略して説明する。図２は、本発明の第２の実施の形態に係る制御情報の変換装置の構成を表したブロック図である。図２を参照すると、第１の端末１００と、第２の端末１５０との間に配設された変換装置２１０が示されている。以下、本実施の形態においても、第１の端末１００は回線交換網で接続され、第２の端末１５０はＩＰ網に接続されているものとして説明する。
【００２２】
変換装置２１０は、第１の送受信部１２０と、第２の送受信部１３０と、制御情報変換部２１５と、を備えるゲートウェイ装置等である。
【００２３】
上記構成において、変換装置２１０は、第１の送受信部１２０において、第１の端末１００からの復号情報とビットストリームを受信すると、復号情報を制御情報変換部２１５に入力する。
【００２４】
制御情報変換部２１５は、第１の端末１００から受信した復号情報に含まれる能力情報（例えばＭＰＥＧ−４規格のＤＣＩ）を取り出して、例えば、ＩＥＴＦ  ＲＦＣで規定されるＳＤＰの記述に変更し呼制御情報に変換して第２の送受信部１３０に出力する。そして、第２の送受信部１３０は、第２の端末１５０に対して呼制御情報を送信する。
【００２５】
ここで、第２の端末１５０は、第２の送受信部１３０から受信した呼制御情報からＳＤＰの記述で記載された能力情報を抽出して、自機が受信可能な能力情報を含んでいるかを判別し、含んでいる場合は応答信号で変換装置２１０に応答する。また、呼制御情報から得られた能力情報が自機が受信可能な能力情報を含んでいない場合は、否定応答が送信される。
【００２６】
変換装置２１０は、第２の端末１５０から肯定応答を受信した場合は、制御情報変換部２１５において、該肯定応答を第１の端末１００が受信できる形式に変換し、第１の端末に対して送信する。以上の処理により、第２の端末１５０と第１の端末１００間で能力情報のネゴシエーションが実施される。
【００２７】
第２の端末１５０から第１の端末１００の方向への能力情報のネゴシエーションも、上記した第１の端末１００から第２の端末１５０への方向の能力情報のネゴシエーションと同様に実施される。
【００２８】
以上のように、本実施の形態では、異なる網間の通信において、端末間で能力情報の形式がＤＣＩとＳＤＰとで異なっていても、制御情報を変換する変換装置を介することで、能力情報のネゴシエーションを行うことが可能となっている。
【００２９】
続いて、変換装置に変換器（トランスコーダ）を備えた本発明の第３の実施の形態について、上記した第１、第２の実施の形態と重複する部分は省略して説明する。図３は、本発明の第３の実施の形態に係る制御情報の変換装置の構成を表したブロック図である。図３を参照すると、第１の端末３０１と、第２の端末３０２との間に配設された変換装置３００が示されている。以下、本実施の形態においても、第１の端末３０１は回線交換網で接続され、第２の端末３０２はＩＰ網に接続されているものとして説明する。
【００３０】
変換装置３００は、制御情報変換部３２０と、トランスコーダ３５０と、第１の送受信部１２０、１２１と、第２の送受信部１３０、１３１とを備え、第１の端末３０１から、例えば、ＩＴＵ−Ｔ  Ｈ．２４５規格を用いて復号情報（例えばＭＰＥＧ−４規格のＤＣＩ）を受信し、第２の端末３０２から呼制御情報（例えば、ＩＥＴＦ  ＲＦＣで規定されたＳＤＰ情報）を受信する。
【００３１】
トランスコーダ（変換器）３５０は、画像トランスコーダ及び音声トランスコーダとから構成されている。
【００３２】
上記構成において、制御情報変換部３２０は、第１の端末３０１から受信した復号情報から第１の端末３０１が搭載しているコーデックなどに関する第１の能力情報を抽出し、第２の端末３０２から受信した呼制御情報から第２の端末が搭載しているコーデックなどに関する第２の能力情報を抽出する。
【００３３】
続いて、制御情報変換部３２０は、第１の能力情報と第２の能力情報が一致するかどうかを判別し、一致しない場合は、トランスコーダ（変換器）３５０を起動する。そして、トランスコーダ（変換器）３５０においては、能力情報の不一致状況に応じて、画像トランスコーダ及び音声トランスコーダによって処理が行われる。
【００３４】
ここで一例として、第１の能力情報と第２の能力情報が不一致であり画像トランスコーダが起動される場合について説明する。トランスコーダ（変換器）３５０は、画像トランスコーダにおいて、片方の端末で圧縮符号化されたビデオストリームがもう一方の端末で復号できるようにストリームを変換し、変換後のストリームを出力する。例えば、第２の端末３０２ではＨ．２６３ビデオコーデックが、第１の端末３０１ではＭＰＥＧ−４ビデオコーデックが搭載されているとする。画像トランスコーダは、第２の端末３０２から第２の送受信部１３１を経由して受信したＨ．２６３ストリームをＭＰＥＧ−４ストリームにトランスコードした上で、第１の送受信部１２１を通して第１の端末３０１に出力する。
【００３５】
以上のように、本実施の形態では、第１の端末と第２の端末から受信した能力情報が一致しない場合において、変換器（画像トランスコーダまたは音声トランスコーダの少なくとも一方）を起動させることとしているため、端末間でコーデックなどの能力が異なっていても、相手端末と画像通信や音声通信を行うことが可能になる。
【００３６】
続いて、変換装置に変換器（トランスコーダ）を備えた本発明の第４の実施の形態について、上記した第１乃至第３の実施の形態と重複する部分は省略して説明する。図４は、本発明の第４の実施の形態に係る制御情報の変換装置の構成を表したブロック図である。図４を参照すると、第１の端末３０１と、第２の端末３０２との間に配設された変換装置４００が示されている。以下、本実施の形態においても、第１の端末３０１は回線交換網で接続され、第２の端末３０２はＩＰ網に接続されているものとして説明する。
【００３７】
変換装置４００は、制御情報変換部４２０と、トランスコーダ４５０と、能力情報変換部４６０と、第１の送受信部１２０、１２１と、第２の送受信部１３０、１３１とを備え、第１の端末３０１から、例えば、ＩＴＵ−Ｔ  Ｈ．２４５規格を用いて復号情報（例えばＭＰＥＧ−４規格のＤＣＩ）を受信し、第２の端末３０２から呼制御情報（例えば、ＩＥＴＦ  ＲＦＣで規定されたＳＤＰ情報）を受信する。
【００３８】
上記構成において、制御情報変換部４２０は、第１の端末３０１から受信した復号情報から第１の端末３０１が搭載しているコーデックなどに関する第１の能力情報を抽出し、第２の端末３０２から受信した呼制御情報から第２の端末が搭載しているコーデックなどに関する第２の能力情報を抽出する。
【００３９】
続いて、制御情報変換部４２０は、第１の能力情報と第２の能力情報が一致するかどうかを判別し、一致しない場合は、画面サイズが一致するかどうかをさらに判別し、その結果に応じて以下の処理を行う。
【００４０】
まず、第１の端末３０１から第２の端末３０２の方向か、または、第２の端末３０２から第１の端末３０１の方向のいずれか一方の画面サイズが一致しないが、もう片方向は一致する場合は、一致しない方向のみに対してトランスコーダ４５０（この場合は画像トランスコーダ）を起動し画像ストリームを変換する。一方、画面サイズが一致する方向は、能力情報変換部４６０において復号情報又は制御情報のＤＣＩの必要な部分（例えばレベル情報の部分など）、又は、画像ストリーム中のＤＣＩの必要な部分を変換した上で出力する。
【００４１】
以上のように、本実施の形態では、第１の端末と第２の端末から受信した能力情報が一致しない場合であっても、画面サイズがいずれか一方向で一致する場合は、当該方向については、変換器の動作に代えて、復号情報又は制御情報の一部を変換するか、画像ストリーム中の復号情報の一部を変換する処理を行うこととしているため、必ず変換器を通す上記第３の実施の形態に比べて、演算量を削減することができる。
【００４２】
続いて、変換装置に変換器（トランスコーダ）を備えた本発明の第５の実施の形態について、上記した第１乃至第４の実施の形態と重複する部分は省略して説明する。図５は、本発明の第５の実施の形態に係る制御情報の変換装置の構成を表したブロック図である。図５を参照すると、第１の端末３０１と、第２の端末３０２との間に配設された変換装置５００が示されている。以下、本実施の形態においても、第１の端末３０１は回線交換網で接続され、第２の端末３０２はＩＰ網に接続されているものとして説明する。
【００４３】
変換装置５００は、制御情報変換部５２０と、能力情報変換部５６０と、第１の送受信部１２０、１２１と、第２の送受信部１３０、１３１とを備え、第１の端末３０１から、例えば、ＩＴＵ−Ｔ  Ｈ．２４５規格を用いて復号情報（例えばＭＰＥＧ−４規格のＤＣＩ）を受信し、第２の端末３０２から呼制御情報（例えば、ＩＥＴＦ  ＲＦＣで規定されたＳＤＰ情報）を受信する。
【００４４】
上記構成において、制御情報変換部５２０は、第１の端末３０１から受信した復号情報から第１の端末３０１が搭載しているコーデックなどに関する第１の能力情報を抽出し、第２の端末３０２から受信した呼制御情報から第２の端末が搭載しているコーデックなどに関する第２の能力情報を抽出する。
【００４５】
続いて、制御情報変換部５２０は、第１の能力情報と第２の能力情報が一致するかどうかを判別し、一致しない場合は、画面サイズが一致するかどうかをさらに判別し、その結果に応じて以下の処理を行う。
【００４６】
まず、第１の端末３０１から第２の端末３０２の方向、及び、第２の端末３０２から第１の端末３０１の方向の双方の画面サイズが一致する場合は、両方向共に、能力情報変換部５６０において復号情報又は制御情報のＤＣＩの必要な部分（例えばレベル情報の部分など）、又は、画像ストリーム中のＤＣＩの必要な部分を変換した上で出力する。
【００４７】
以上のように、本実施の形態では、第１の端末と第２の端末から受信した能力情報が一致しない場合であっても、画面サイズがいずれか双方向で一致する場合は、両方向共に、変換器の動作に代えて、復号情報又は制御情報の一部を変換するか、画像ストリーム中の復号情報の一部を変換する処理を行うこととしているため、必ず変換器を通す上記第３の実施の形態に比べて、演算量を削減することができる。
【００４８】
以上、本発明のいくつかの実施の形態を説明したが、その原理からも明らかなとおり、本発明の技術的範囲は、上述した実施の形態に限定されるものではなく、異なる網に属する端末間の通信を可能とする構成という本発明の要旨を逸脱しない範囲で、各種の変形・置換をなしうることが可能であることはいうまでもない。
【符号の説明】
【００４９】
１００、３０１  第１の端末
１１０、２１０、３００、４００、５００  変換装置
１１５、２１５、３２０、４２０、５２０  制御情報変換部
１２０、１２１  第１の送受信部
１３０、１３１  第２の送受信部
１５０、３０２  第２の端末
３５０、４５０  トランスコーダ（変換器）
４６０、５６０  能力情報変換部
【図１】
2010233238.tif 000003
【図２】
2010233238.tif 000004
【図３】
2010233238.tif 000005
【図４】
2010233238.tif 000006
【図５】
2010233238.tif 000007